(57)【要約】【課題】ヒータユニットを天板に近づけても天板の温度上昇を好適に抑える。【解決手段】ヒータ付きテーブル１において、ヒータユニット３を、天板２の下面に設けた取付桟４を介して天板２の下面から所定間隔をおいて支持し、天板２とヒータユニット３との間に、平面視でヒータユニット３を覆う大きさを有する遮熱板１１を、天板２との間に所定の隙間Ｓを残して設けた。【選択図】図１
2011226668.tif 000002
【特許請求の範囲】
【請求項１】
天板の下面にヒータユニットを設けたヒータ付きテーブルであって、
前記ヒータユニットを、前記天板の下面に設けた取付部を介して前記下面から所定間隔をおいて支持し、前記天板とヒータユニットとの間に、平面視で少なくとも前記ヒータユニットを覆う大きさを有する遮熱板を、前記天板との間に所定の隙間を残して設けたことを特徴とするヒータ付きテーブル。
【請求項２】
前記遮熱板の幅を、前記ヒータユニットの幅の１．２倍〜３．０倍としたことを特徴とする請求項１に記載のヒータ付きテーブル。
【請求項３】
前記隙間を５ｍｍ〜１５ｍｍとし、前記遮熱板の厚みを３ｍｍ〜６ｍｍとしたことを特徴とする請求項１又は２に記載のヒータ付きテーブル。
【請求項４】
前記遮熱板の上面に、前記天板の下面と当接して前記天板と遮熱板との間の隙間を保持するスペーサを設けたことを特徴とする請求項１乃至３の何れかに記載のヒータ付きテーブル。
【発明の詳細な説明】
【技術分野】
【０００１】
本発明は、天板の下面にヒータユニットを備えたヒータ付きテーブルに関する。
【背景技術】
【０００２】
ダイニングテーブル等においては、足元の暖を得るために天板の下面にヒータユニットを設けたものが知られている。このヒータユニットは、例えば特許文献１に示すように、石英管ヒータ等の発熱体と、その発熱体からの赤外線を下方へ放射する反射板とを備えて、天板の下面に支持部を介して取り付けられている。このようなヒータユニットを用いることで、放射熱によって足元が暖められる。
【先行技術文献】
【特許文献】
【０００３】
【特許文献１】特開２００７−２４０１１５号公報
【発明の概要】
【発明が解決しようとする課題】
【０００４】
このようなヒータ付きテーブルにおいては、椅子や脚がヒータユニットとぶつからないように支持部の厚みを小さくすることで、天板下面からの突出量を抑えてコンパクト化を図る場合がある。しかし、そのためにヒータユニットと天板との距離が近くなって天板の温度が上昇し、反りや割れ等の原因となる。特に内部が布団等で覆われて温度上昇することで消費電力が調整できるこたつと異なり、内部が開放されるヒータ付きテーブルでは略一定の消費電力で熱を放射する必要があることから、天板の温度上昇は比較的大きくなってしまう。
【０００５】
そこで、本発明は、ヒータユニットを天板に近づけても天板の温度上昇を好適に抑えることができるヒータ付きテーブルを提供することを目的としたものである。
【課題を解決するための手段】
【０００６】
上記目的を達成するために、請求項１に記載の発明は、ヒータユニットを、天板の下面に設けた取付部を介して下面から所定間隔をおいて支持し、天板とヒータユニットとの間に、平面視で少なくともヒータユニットを覆う大きさを有する遮熱板を、天板との間に所定の隙間を残して設けたことを特徴とするものである。
なお、本発明でいう「テーブル」とは、ダイニングテーブルや会議テーブル等の椅子を使用するタイプであり、高脚コタツと称されるものも含む。
請求項２に記載の発明は、請求項１の構成において、遮熱板の幅を、ヒータユニットの幅の１．２倍〜３．０倍としたことを特徴とするものである。
請求項３に記載の発明は、請求項１又は２の構成において、隙間を５ｍｍ〜１５ｍｍとし、遮熱板の厚みを３ｍｍ〜６ｍｍとしたことを特徴とするものである。
請求項４に記載の発明は、請求項１乃至３の何れかの構成において、遮熱板の上面に、天板の下面と当接して天板と遮熱板との間の隙間を保持するスペーサを設けたことを特徴とするものである。
【発明の効果】
【０００７】
請求項１に記載の発明によれば、ヒータユニットによって発生する熱が天板へ伝わりにくくなる。よって、ヒータユニットを天板に近づけてコンパクト化しても天板の温度上昇を好適に抑えることができ、天板の反りや割れの発生を防止可能となる。
請求項２に記載の発明によれば、請求項１の効果に加えて、天板に対する遮熱が十分な大きさの遮熱板を得ることができる。
請求項３に記載の発明によれば、請求項１又は２の効果に加えて、天板と遮熱板との間の通気が確保できる最適な隙間が設定できると共に、遮熱に好適な遮熱板の厚みも確保できる。
請求項４に記載の発明によれば、請求項１乃至３の何れかの効果に加えて、スペーサによって天板との隙間が確実に保持できると共に、遮熱板自身の反りや変形も抑えられる。
【図面の簡単な説明】
【０００８】
【図１】ヒータ付きテーブルのヒータユニット部分の縦断面図である。
【図２】ヒータ付きテーブルのヒータユニット部分の底面図である。
【図３】ヒータ付きテーブルのヒータユニット部分の横断面図である。
【発明を実施するための形態】
【０００９】
以下、本発明の実施の形態を図面に基づいて説明する。
図１〜３に示すヒータ付きテーブル１は、図示しない脚部によって所定高さで水平に支持される矩形状の天板２と、その天板２の下面に設けられるヒータユニット３とを備えてなる。脚部及び天板２は無垢材或いは合板等の木製となっている。
ヒータユニット３は、天板２の下面に固定される取付部としての一対の取付桟４，４を介して支持される細長直方体状で、上部に設けられる帯状の取付板５が、取付桟４，４の間で止めネジ６，６によって固定されることで、天板２の下面との間に所定の間隔をおいて平行に架設されている。
【００１０】
また、取付板５の下面で長手方向の両端及び中央には、端子部７，７が設けられて、各端子部７，７間に、石英管の内部にカーボン製の赤熱体を封入した一対のヒータ８，８が、それぞれ長手方向と平行に架設されると共に、各ヒータ８の上側で取付板５の下面に、ヒータ８の上側及び両側を覆う半円状の反射板９が設けられている。１０は、端子部７，７間でヒータ８を覆う金網製のカバーである。
【００１１】
そして、天板２とヒータユニット３との間には、遮熱板１１が設けられている。この遮熱板１１は、３〜６ｍｍの厚さで長方形に形成されるハードボード製で、取付板５の上方で取付桟４，４の互いの対向面にそれぞれ形成される幅方向の溝１２に長手方向の両端を挿入することで取付桟４，４間に架設されている。この架設状態で遮熱板１１は、天板２の下面との間に所定の隙間Ｓ（５〜１５ｍｍ）を残して平面視でヒータユニット３の全体を上方から覆うことになる。特にここでは、遮熱板１１の幅をヒータユニット３の幅の１．２〜３．０倍で大きく形成しており、取付桟４も遮熱板１１に合わせた幅となっている。
【００１２】
また、遮熱板１１の上面には、スペーサとなる幅方向の補強桟１３，１３が、長手方向に所定間隔をおいて取り付けられている。この補強桟１３は、天板２との間の隙間Ｓを保持するためのものであるが、このように幅方向に設けることで、遮熱板１１の補強の役割も果たしている。
なお、遮熱板１１は、取付桟４，４への取付状態で、ヒータユニット３との間にも所定の隙間を形成して取付板５とは非接触となっている。
【００１３】
以上の如く構成されたヒータ付きテーブル１においては、図示しないスイッチをＯＮ操作してヒータユニット３に通電がされると、ヒータ８，８に通電されて赤熱体が赤熱し、輻射熱が反射板９によって下向きに放射される。よって、椅子に座った人の足元が暖められる。
そして、通電によりヒータユニット３が温度上昇することがあっても、ヒータユニット３は天板２と直接接触していない上、両者間に遮熱板１１が介在されているため、ヒータユニット３からの放射熱が天板２へ伝わりにくくなり、天板２の温度上昇は抑えられる。特に、輻射熱によって暖められた空気が天板２の下方で対流すると、天板２と遮熱板１１との間の隙間に空気がとどまることなく通気するため、対流熱の伝達も抑えられる。
【００１４】
このように、上記形態のヒータ付きテーブル１によれば、ヒータユニット３を、天板２の下面に設けた取付桟４を介して天板２の下面から所定間隔をおいて支持し、天板２とヒータユニット３との間に、平面視でヒータユニット３を覆う大きさを有する遮熱板１１を、天板２との間に所定の隙間Ｓを残して設けたことで、ヒータユニット３によって発生する熱が天板２へ伝わりにくくなる。よって、ヒータユニット３を天板２に近づけてコンパクト化しても天板２の温度上昇を好適に抑えることができ、天板２の反りや割れの発生を防止可能となる。
【００１５】
特にここでは、遮熱板１１の幅を、ヒータユニット３の幅の１．２倍〜３．０倍としているので、天板２に対する遮熱が十分な大きさの遮熱板１１を得ることができる。
また、天板２と遮熱板１１との間の隙間を５ｍｍ〜１５ｍｍとし、遮熱板１１の厚みを３ｍｍ〜６ｍｍとしているので、天板２と遮熱板１１との間の通気が確保できる最適な隙間が設定できると共に、遮熱に好適な遮熱板１１の厚みも確保できる。
さらに、遮熱板１１の上面に、天板２の下面と当接して天板２と遮熱板１１との間の隙間Ｓを保持する補強桟１３を設けたことで、天板２との隙間Ｓが確実に保持できると共に、遮熱板１１自身の反りや変形も抑えられる。
【００１６】
なお、天板へのヒータユニットの取付構造は上記形態に限らず、例えばヒータユニットの取付板の両端に取付部を折曲形成して天板に取り付けたり、取付板と天板との間にブロック等を介在させてネジ等の取付具で取り付けたりすることでも天板と非接触での取り付けは可能である。また、ヒータユニット自体の形状も、全体を正方形や円形としたり、ヒータとしてハロゲンヒータ等の他の種類を用いたりしてもよい。
【００１７】
また、遮熱板の形状も、上記形態では幅のみをヒータユニットよりも大きくしているが、取付部が邪魔にならなければ長手方向でもヒータユニットより大きくしても差し支えない。さらに、遮熱板は一枚に限らず、複数枚を厚み方向に非接触で並べて用いることもできる。
加えて、遮熱板の取付形態も、取付桟を用いる場合に限らず、ヒータユニットの上面に遮熱板を取り付けるブラケットを別途設けてヒータユニットに支持させることも可能である。
【００１８】
その他、遮熱板の幅や厚み、隙間の数値も上記形態に限らず、本発明の趣旨を逸脱しない範囲で適宜変更可能で、ハードボード以外にも合成樹脂や金属製の板体を用いることもできる。但し、金属製の場合は遮熱板自体の温度上昇を抑えるために表面に植毛処理を施すのが望ましい。
一方、スペーサも、長手方向や格子状としたり、桟に代えてピンを設けたりすることができる。勿論スペーサの省略は可能である。
そして、テーブル自体の構造も、天板の形状（矩形以外の正方形や円形等）や脚部の数は問わない。
【符号の説明】
【００１９】
１・・ヒータ付きテーブル、２・・天板、３・・ヒータユニット、４・・取付桟、５・・取付板、８・・ヒータ、９・・反射板、１０・・カバー、１１・・遮熱板、１２・・溝、１３・・補強桟、Ｓ・・隙間。
【図１】
2011226668.tif 000003
【図２】
2011226668.tif 000004
【図３】
2011226668.tif 000005